(57)【要約】【課題】一括にオスコネクタを嵌合解除する場合と個別にオスコネクタを嵌合解除する場合の両方の場合に対応できる。【解決手段】複数のオスコネクタ３０と、複数のオスコネクタ嵌合室１３を有するメスコネクタ１０と、各オスコネクタに設けられたロックアーム３２、ロックアームの撓み空間、ロックアーム上の係合凸部３３と、各オスコネクタ嵌合室１３の天井面に設けられたロック凸部と、複数のオスコネクタ嵌合室に亘る長さを有し、メスコネクタ１０のハウジング１１の第１の係止部１５に装着されることで、各ロックアーム３２の解除操作部３４をロック解除位置に押し下げる解除操作用の凸部４２を有した一括解除操作部材４０と、を具備する。一括解除操作部材４０は、第２の係止部１４に装着されることで、凸部４２を撓み空間内に差し込ませて、ロックアームを撓み防止する。また、中途嵌合時に凸部４２がロックアームと干渉することで嵌合不良を検知する。【選択図】図１
2008066123.tif 000002
【特許請求の範囲】
【請求項１】
複数のオスコネクタと、
これらオスコネクタを嵌合するための横一列に並んだ複数のオスコネクタ嵌合室を有するメスコネクタと、
前記各オスコネクタのハウジングの天板部に設けられ、コネクタ嵌合方向の前方側の固定端で片持支持されることで、後方側に延びた自由端側が上下方向に撓み自在とされたロックアームと、
該ロックアームと前記天板部との間に確保されたロックアームの撓み空間と、
前記ロックアームの自由端と固定端の間の上面部分に設けられた係合凸部と、
前記各オスコネクタ嵌合室の天井面に設けられ、前記オスコネクタをオスコネクタ嵌合室に嵌合させたときの初期段階で前記ロックアームの係合凸部と干渉することによりロックアームを下方に撓ませ、更に奥にオスコネクタを嵌合させて係合凸部が干渉位置を通過してロックアームが定位置に弾性復元することにより、前記係合凸部の背面と係合してオスコネクタを抜け止めロックするロック凸部と、
前記複数のオスコネクタ嵌合室に亘る長さを有すると共に、前記メスコネクタのハウジングの第１の所定位置に装着されることで、各オスコネクタのロックアームの自由端側の解除操作部をロック解除位置に押し下げる解除操作凸部を前記オスコネクタ嵌合室の数だけ有した一括解除操作部材と、
を具備することを特徴とする多連装コネクタ。
【請求項２】
請求項１に記載の多連装コネクタであって、
前記一括解除操作部材が、前記メスコネクタのハウジングの第１の所定位置と異なる第２の所定位置に装着されたとき、前記各オスコネクタのロックアームの撓み空間内に侵入することで、適正状態でロックされたロックアームのロック解除方向への撓みを阻止する二重ロック凸部を有することを特徴とする多連装コネクタ。
【請求項３】
請求項１または２に記載の多連装コネクタであって、
前記一括解除操作部材が、適正状態で前記ロックアームがロックされているとき、前記各ロックアームの撓み空間内への侵入が可能となり、不適正な嵌合状態のとき、前記撓み空間内に撓んでいるロックアームと干渉することで、前記撓み空間内への侵入が不可となる嵌合検知部を有しており、少なくとも１つの嵌合検知部がロックアームの撓み空間内へ侵入不可となることによって、前記一括解除操作部材が、前記第１の所定位置と異なる第２の所定位置に装着不可となることを特徴とする多連装コネクタ。
【発明の詳細な説明】
【技術分野】
【０００１】
本発明は、１つのメスコネクタのハウジングに複数のオスコネクタ嵌合室が設けられ、各オスコネクタ嵌合室にそれぞれオスコネクタを嵌合できるように構成された多連装コネクタに関するものである。
【背景技術】
【０００２】
この種の、複数のオスコネクタを１つのメスコネクタハウジングに嵌合できるように構成した多連装コネクタの従来例として、特許文献１に記載のものが知られている。この特許文献１に記載されたコネクタでは、メスコネクタのハウジングに装備したスライダの移動により、メスコネクタとオスコネクタの嵌合状態を維持するようにし、メスコネクタとオスコネクタの嵌合を取り外す場合には、スライダを操作してオスコネクタのロックを解除するようになっている。
【特許文献１】特開平９−２５１８７５号公報
【発明の開示】
【発明が解決しようとする課題】
【０００３】
ところで、前記特許文献１に記載の多連装コネクタの場合、メンテナンスの際などに、オスコネクタを個別に嵌合解除したい場合に、スライダを操作すると、複数のオスコネクタのロックが一斉に外れてしまい、意図しないコネクタも嵌合解除されてしまうという問題があった。
【０００４】
本発明は、上記事情を考慮し、一括にオスコネクタを嵌合解除する場合と、個別にオスコネクタを嵌合解除する場合の両方の場合に対応できるようにした多連装コネクタを提供することを目的とする。
【課題を解決するための手段】
【０００５】
請求項１の発明は、複数のオスコネクタと、これらオスコネクタを嵌合するための横一列に並んだ複数のオスコネクタ嵌合室を有するメスコネクタと、前記各オスコネクタのハウジングの天板部に設けられ、コネクタ嵌合方向の前方側の固定端で片持支持されることで、後方側に延びた自由端側が上下方向に撓み自在とされたロックアームと、該ロックアームと前記天板部との間に確保されたロックアームの撓み空間と、前記ロックアームの自由端と固定端の間の上面部分に設けられた係合凸部と、前記各オスコネクタ嵌合室の天井面に設けられ、前記オスコネクタをオスコネクタ嵌合室に嵌合させたときの初期段階で前記ロックアームの係合凸部と干渉することによりロックアームを下方に撓ませ、更に奥にオスコネクタを嵌合させて係合凸部が干渉位置を通過してロックアームが定位置に弾性復元することにより、前記係合凸部の背面と係合してオスコネクタを抜け止めロックするロック凸部と、前記複数のオスコネクタ嵌合室に亘る長さを有すると共に、前記メスコネクタのハウジングの第１の所定位置に装着されることで、各オスコネクタのロックアームの自由端側の解除操作部をロック解除位置に押し下げる解除操作凸部を前記オスコネクタ嵌合室の数だけ有した一括解除操作部材と、を具備することを特徴とする。
【０００６】
請求項２の発明は、請求項１に記載の多連装コネクタであって、前記一括解除操作部材が、前記メスコネクタのハウジングの第１の所定位置と異なる第２の所定位置に装着されたとき、前記各オスコネクタのロックアームの撓み空間内に侵入することで、適正状態でロックされたロックアームのロック解除方向への撓みを阻止する二重ロック凸部を有することを特徴とする。
【０００７】
請求項３の発明は、請求項１または２に記載の多連装コネクタであって、前記一括解除操作部材が、適正状態で前記ロックアームがロックされているとき、前記各ロックアームの撓み空間内への侵入が可能となり、不適正な嵌合状態のとき、前記撓み空間内に撓んでいるロックアームと干渉することで、前記撓み空間内への侵入が不可となる嵌合検知部を有しており、少なくとも１つの嵌合検知部がロックアームの撓み空間内へ侵入不可となることによって、前記一括解除操作部材が、前記第１の所定位置と異なる第２の所定位置に装着不可となることを特徴とする。
【発明の効果】
【０００８】
請求項１の発明によれば、メスコネクタにオスコネクタを適正に嵌合させたとき、オスコネクタ側のロックアームの係合凸部が、メスコネクタ側のロック凸部に係合することによって、オスコネクタが抜け止めロックされる。その状態で、一括解除操作部材を装着しないと（あるいは取り付けてあった一括解除操作部材を取り外すと）、各オスコネクタは、それぞれにロックアームを解除位置に撓ませることによって、個別に嵌合を取り外すことができるようになる。また、一括解除操作部材をメスコネクタの第１の所定位置に装着すると、各オスコネクタ嵌合室に対応して設けた解除操作凸部が、各オスコネクタのロックアームの自由端側の解除操作部をロック解除位置に押し下げる。従って、一括してオスコネクタの嵌合を取り外すことができるようになる。その結果、例えばメンテナンス時には、個別にオスコネクタを取り外せることによって、メンテナンスの作業性を向上することができ、一方、車両の解体に伴うワイヤーハーネスの解体時には、一括してオスコネクタを取り外せることによって、解体作業性を向上することができる。
【０００９】
請求項２の発明によれば、一括解除操作部材をメスコネクタの第２の所定位置に装着することによって、一括解除操作部材上の二重ロック凸部を、メスコネクタに嵌合した各オスコネクタのロックアームの撓み空間内にそれぞれ侵入させることができる。従って、二重ロック凸部により、各ロックアームのロック解除方向への撓みを阻止することができ、ロックアームの誤操作を確実に防止することができる。
【００１０】
また、一括解除操作部材で二重ロック部材を兼ねるので、通常時は、二重ロックを達成する第２の所定位置に一括解除操作部材を装着しておき、必要時に一括解除操作部材を取り外すか、取り外した上で前記第１の所定位置に付け替えるかすることにより、オスコネクタの取り外しの便宜を図ることができる。このように、通常時に一括解除操作部材を第２の所定位置に装着しておくことができるので、邪魔にならずに取り扱うことができる。
【００１１】
請求項３の発明によれば、一括解除操作部材が第２の所定位置に装着不可となることによって、少なくとも１つのオスコネクタが不適正な嵌合状態にあることを検知でき、また、一括解除操作部材が第２の所定位置に装着可となることによって、全てのオスコネクタが適正な嵌合状態にあることを検知できる。
【発明を実施するための最良の形態】
【００１２】
以下、本発明の実施形態を図面を参照しながら説明する。
【００１３】
図１は実施形態のコネクタの分解斜視図、図２は適正な嵌合状態にあるときのコネクタの断面図、図３は中途嵌合を検知するときの状態を示す断面図、図４は個別嵌合解除を行うときの状態を示す断面図、図５は一括嵌合解除を行うときの状態を示す断面図である。
【００１４】
図１、図２に示すように、この実施形態の多連装コネクタは、複数の合成樹脂製のオスコネクタ３０と、これらオスコネクタ３０を嵌合する合成樹脂製のメスコネクタ１０と、二重係止部材と嵌合検知部材を兼ねる帯板状で合成樹脂製の一括解除操作部材４０と、から構成されている。
【００１５】
メスコネクタ１０のハウジング１１は、相手コネクタに対する嵌合方向の前面に、横一列に並んだ複数のオスコネクタ嵌合室１３を有している。横一列に並んだ複数のオスコネクタ嵌合室１３は、上壁１２Ａと下壁１２Ｂと左右側壁１２Ｃ，１２Ｃとで囲まれた長方形状の空間を、複数の隔壁１２Ｄで仕切ることにより形成されており、各オスコネクタ嵌合室１３内には、ハウジング１１の後壁から図示しない端子が挿入固定されている。
【００１６】
各オスコネクタ３０のハウジング３１の天板部には、コネクタ嵌合方向の前方側の固定端で片持支持されることで、後方側に延びた自由端側が上下方向に撓み自在とされたロックアーム３２が設けられている。そして、ロックアーム３２と天板部との間に、ロックアーム３２の撓み空間３５が確保され、ロックアーム３２の自由端と固定端の間の上面部分に、ロック用の係合凸部３３が設けられている。また、自由端側の端末部には、コネクタ嵌合方向の後端面が傾斜面３４ａで構成された解除操作部３４が設けられている。
【００１７】
一方、各オスコネクタ嵌合室１３の天井面（上壁１２Ａの内面）には、ロック凸部１６が設けられている。このロック凸部１６は、オスコネクタ３０をオスコネクタ嵌合室１３に嵌合させたときの初期段階でロックアーム３２の係合凸部３３と干渉することによりロックアーム３２を下方に撓ませ、更に奥にオスコネクタ３０を嵌合させて係合凸部３３が干渉位置を通過してロックアーム３２が定位置に弾性復元することにより、係合凸部３３の背面と係合してオスコネクタ３０を抜け止めロックする部分である。係合凸部３３とロック凸部１６には、コネクタ嵌合動作により、ロックアーム３２をスムーズに撓ませるための案内斜面３３ａ、１６ａが設けられている。
【００１８】
また、一括解除操作部材４０は、複数のオスコネクタ嵌合室１３に亘る長さを有する帯板状の部材により構成され、各オスコネクタ嵌合室１３に対応した複数の凸部４２と、長さ方向の両端に配置された係合フック４４とを有している。一方、メスコネクタ１０のハウジング１１には、左右側壁１２Ｃに、一括解除操作部材４０の両端の係合フック４４が選択的に係合し得る第１の係止部１５と第２の係止部１４とが設けられている。
【００１９】
第１の係止部１５は上側の位置に設けられ、第２の係止部１４はそれより下側の位置に設けられており、係合フック４４を第１の係止部１５に係合させることにより、一括解除操作部材４０が上側の第１の所定位置に保持され、係合フック４４を第２の係止部１４に係合させることにより、一括解除操作部材４０が下側の第２の所定位置に保持されるようになっている。
【００２０】
一括解除操作部材４０の凸部４２は、両端の係合フック４４をメスコネクタ１０の第２の係止部１４に係合させ、一括解除操作部材４０を下側の第２の所定位置に保持したときに、図２に示すように、各オスコネクタ３０のロックアーム３２の撓み空間３５内に侵入することで、適正状態でロックされたロックアーム３２のロック解除方向への撓みを阻止する二重ロック凸部としての機能を果たす。
【００２１】
また、適正状態でロックアーム３２がロックされているときには、上述のように、凸部４２は、各ロックアーム３２の撓み空間３５内への侵入が可能となるが、図３に示すように、不適正な嵌合状態のとき、つまり、中途嵌合によりロックアーム３２が撓み空間３５内に撓んでいるときには、撓み空間３５内に撓んでいるロックアーム３２と干渉することで、撓み空間３５内への侵入が不可となる。
【００２２】
従って、凸部４２は、オスコネクタが適正に嵌合されているか否かを検知する嵌合検知部の機能を果たすことになり、少なくとも１つの凸部４２がロックアーム３２の撓み空間３５内へ侵入不可となった場合には、それによって、一括解除操作部材４０の係合フック４４を第２の係止部１４に係合できなくなる。
【００２３】
また、係合フック４４を上側の第１の係止部１５に係合させた場合は、図５に示すように、各凸部４２が、ロックアーム３２の解除操作部３４の傾斜面３４ａに押し当たりながら、解除操作部３４とメスコネクタ１０のハウジング１１の上壁１２Ａとの間の三角のスペース１７に入ることによって、ロックアーム３２の解除操作部３４をロック解除位置に押し下げる働きをなす（解除操作凸部として機能する）。
【００２４】
次に作用を説明する。
【００２５】
図２に示すように、メスコネクタ１０の各オスコネクタ嵌合室１３にオスコネクタ３０を適正に嵌合させたときには、オスコネクタ３０側のロックアーム３２の係合凸部３３が、メスコネクタ１０側のロック凸部１６に係合することによって、オスコネクタ３０が抜け止めロックされる。
【００２６】
このようにコネクタが正規に嵌合しているときに、一括解除操作部材４０の両端の係合フック４４をメスコネクタ１０の第２の係止部１４に係合させると、ロックアーム３２の撓み空間３５に一括解除操作部材４０の各凸部４２を入り込ませることができる。従って、凸部４２によって、各ロックアーム３２のロック解除方向への撓みを阻止することができ（二重係止）、ロックアーム３２の誤操作による不慮の嵌合解除を確実に防止することができる。
【００２７】
また、図３に示すように、オスコネクタ３０が中途嵌合のときには、ロックアーム３２が中途半端に撓んでいて、一括解除操作部材４０を適正に係合させることができなくなる。従って、そのことで、少なくとも１つのオスコネクタ３０が不適正な嵌合状態にあることを検知できる。また、一括解除操作部材４０を適正に係合させることができる場合は、全てのオスコネクタ３０が適正な嵌合状態にあることを検知できる。
【００２８】
また、メンテナンスの際など、オスコネクタ３０を個別に嵌合解除するときには、図４に示すように、一括解除操作部材４０を取り外し、取り外したいオスコネクタ３０のロックアーム３２を個別に撓ませて、係合凸部３３とロック凸部１６の係合を外し、必要なオスコネクタ３０だけを取り外す。
【００２９】
また、ワイヤーハーネス解体作業の際などに、複数のオスコネクタ３０を一括して嵌合解除するときには、二重ロックまたは嵌合検知位置から取り外した一括解除操作部材４０の係合フック４４を第１の係止部１５に係合させ、図５に示すように、ロックアーム３２の解除操作部３４の上の空間１７に、一括解除操作部材４０の各凸部４２を差し込む。そうすると、一括解除操作部材４０の凸部４２により、各ロックアーム３２の解除操作部３４がロック解除位置に一斉に押し下げられて、ロックアーム３２の係合凸部３３とメスコネクタ１０側のロック凸部１６の係合が外れ、複数のオスコネクタ３０の嵌合を一括で解除することができるようになる。
【００３０】
従って、例えばメンテナンス時には、個別にオスコネクタを取り外せることによって、メンテナンスの作業性を向上することができ、一方、車両の解体に伴うワイヤーハーネスの解体時には、一括してオスコネクタを取り外せることによって、解体作業性を向上することができる。
【００３１】
また、この実施形態の場合、一括解除操作部材４０で二重ロック部材や嵌合検知部材を兼ねているので、通常時は、二重ロックを達成する第２の所定位置に一括解除操作部材４０を装着（係合フック４４を第２の係止部１５に係合）しておき、必要時に一括解除操作部材４０を取り外すか、取り外した上で一括解除操作部材４０を第１の所定位置に付け替える（係合フック４４を第２の係止部１５に係合させる）ことにより、オスコネクタ３０の取り外しの便宜を図ることができる。このように、通常時に一括解除操作部材４０を第２の所定位置に装着しておくことができるので、邪魔にならずに、取り扱うことができる。
【図面の簡単な説明】
【００３２】
【図１】本発明の実施形態のコネクタの分解斜視図である。
【図２】適正な嵌合状態にあるときの前記コネクタの断面図である。
【図３】中途嵌合状態を検知するときの前記コネクタの断面図である。
【図４】個別嵌合解除を行うときの状態を示す前記コネクタの断面図である。
【図５】一括嵌合解除を行うときの状態を示す前記コネクタの断面図である。
【符号の説明】
【００３３】
１０  メスコネクタ
１１  ハウジング
１３  オスコネクタ嵌合室
１４  第２の係止部（第２の所定位置）
１５  第１の係止部（第１の所定位置）
１６  ロック凸部
３０  オスコネクタ
３２  ロックアーム
３３  係合凸部
３４  解除操作部
３５  撓み空間
４０  一括解除操作部材
４２  凸部（解除操作凸部、二重ロック凸部、嵌合検知部）
【図１】
2008066123.tif 000003
【図２】
2008066123.tif 000004
【図３】
2008066123.tif 000005
【図４】
2008066123.tif 000006
【図５】
2008066123.tif 000007